(57)【要約】【課題】第１ケースに取り付けられ且つ金属板が折り曲げられて形成される第２ケースを有し、第２ケースの露出する端部に外観上の差異が生じ難い電子機器を提供する。【解決手段】第１底部１１０及び第１壁部１５０を有する第１ケース１００と、金属板が折り曲げられて形成され、第１ケース１００に取り付けられる第２ケース２００とを備え、第２ケース２００は、第１底部１１０と略面一となる第２底部２１０と、第１壁部１５０と略面一となる第２壁部２５０と、第２壁部２５０から第２底部２１０の平面視内方に折り曲げられて第２底部２１０に向かって延びる第３壁部２７０と、を有する。第３壁部２７０は、第１ケース１００の側の端部２７１から第１ケース１００の側に突出する突出部２８０を有し、突出部２８０は、第１ケース１００と第２ケース２００とが取り付けられた際に、第１壁部１５０における第１底部１１０の平面方向の内方の面１５１に当接する。【選択図】図１０
2012227567.tif 000002
【特許請求の範囲】
【請求項１】
第１底部及び当該第１底部から立設する第１壁部を有する第１ケースと、
金属板が折り曲げられて形成され、前記第１底部の平面方向に沿って前記第１ケースに取り付けられる第２ケースと、を備え、
前記第２ケースは、前記第１ケースに取り付けられた際に前記第１底部と略面一となる第２底部と、前記第１ケースに取り付けられた際に前記第１壁部と略面一となる第２壁部と、当該第２壁部から前記第２底部の平面視内方に折り曲げられて前記第２底部に向かって延びる第３壁部と、を有し、
前記第３壁部は、前記平面方向における前記第１ケース側の端部から前記第１ケースの側に突出する突出部を有し、
前記突出部は、前記第１ケースと前記第２ケースとが取り付けられた際に、前記第１壁部における前記第１底部の平面方向内方の面に当接する
電子機器。
【請求項２】
前記第３壁部における前記突出部が設けられる領域が前記第２壁部に対して折り返される角度は、１８０度未満である
請求項１に記載の電子機器。
【請求項３】
前記突出部は、基準電位部と電気的に接続された導通部と当接する
請求項１又は２に記載の電子機器。
【請求項４】
前記第１ケース及び前記第２ケースに積層配置され、前記第２ケースと嵌合可能な第３ケースを更に備え、
前記第２ケースと前記第３ケースとを嵌合させた状態において、前記第３ケースは、前記突出部に、前記第１壁部における前記第１底部の平面方向内方の面とは反対側から当接する
請求項１から３のいずれかに記載の電子機器。
【請求項５】
前記第２ケースの厚み方向に沿う前記突出部の幅は、前記第２ケースの厚み方向に沿う前記第３壁部の幅よりも小さく、
前記第１ケースと前記第２ケースとが取り付けられた際に前記第１壁部と前記突出部との間に形成される隙間に、前記第３ケースの一部が配置される
請求項４に記載の電子機器。
【請求項６】
第１底部及び当該第１底部から立設する第１壁部を有する第１ケースと、
金属板が折り曲げられて形成され、前記第１底部の平面方向に沿って前記第１ケースに取り付けられる第２ケースと、を備え、
前記第２ケースは、前記第１ケースに取り付けられた際に前記第１底部と略面一となる第２底部と、前記第１ケースに取り付けられた際に前記第１壁部と略面一となる第２壁部と、当該第２壁部から前記第２底部の平面視内方に折り曲げられて前記第２底部に向かって延びる第３壁部と、を有し、
前記第３壁部は、前記平面方向における前記第１ケース側の端部から前記第１ケースの側に突出する突出部を有し、
前記突出部は、前記第１ケースと前記第２ケースとが取り付けられた際に、前記第１壁部により、前記第１底部の平面視外方への移動が規制される
電子機器。
【発明の詳細な説明】
【技術分野】
【０００１】
本発明は、携帯電話機等の電子機器に関する。
【背景技術】
【０００２】
近年、電子機器としての携帯電話機において、外観のデザイン性を向上させるために、樹脂を主体とする第１ケースに、金属板が折り曲げられて形成された第２ケースを取り付けて、筐体を構成したものが知られている（例えば、下記特許文献１参照）。
【０００３】
また、前述のような筐体において、図１６に示すように、第１底部１１０及び第１底部１１０から立設する第１壁部１５０を有する第１ケース１００と、金属板が折り曲げられて形成され、第１底部１１０の平面方向に沿った取り付け方向Ｄ１２に移動することで第１ケース１００に取り付けられる第２ケース２００と、から構成されたものがある。また、第２ケース２００は、第１ケース１００に取り付けられた際に第１底部１１０と略面一となる第２底部２１０と、第１ケース１００に取り付けられた際に第１壁部１５０と略面一となる第２壁部２５０と、第２底部２１０における取り付け方向Ｄ１２の側の端部２１１から第１ケース１００の側に向かって延びる舌片部２４０と、を有する。
【０００４】
筐体の製造時において、第２ケース２００を取り付け方向Ｄ１２に移動させ、これにより第１ケース１００と第２ケース２００とが取り付けられた状態において、舌片部２４０は、第１ケース１００の内面側に挿入されて係合する。その結果、第１ケース１００の第１底部１１０及び第１壁部１５０それぞれと、第２ケース２００の第２底部２１０及び第２壁部２５０それぞれとは、略面一となる。
【先行技術文献】
【特許文献】
【０００５】
【特許文献１】特開２０１０−２５８８１８公報
【発明の概要】
【発明が解決しようとする課題】
【０００６】
しかし、図１６に示す筐体においては、第２ケース２００の舌片部２４０は、第２底部２１０の外面から内側に向けて段差が形成されるように、金属板を折り曲げ加工して形成される。そのため、舌片部２４０が形成される部分「だれ」が発生する。その結果、第２ケース２００の第２底部２１０における取り付け方向Ｄ１２の側の端部２１１において、舌片部２４０が形成される部分と、舌片部２４０が形成されない部分との間に、外観上の差異が生じる。これにより、デザイン性が低下する。
【０００７】
従って、本発明は、第１ケースに取り付けられ且つ金属板が折り曲げられて形成される第２ケースを有する電子機器において、第２ケースにおける露出する端部に外観上の差異が生じることを低減し、デザイン性を向上できる電子機器を提供することを目的とする。
【課題を解決するための手段】
【０００８】
本発明は、第１底部及び当該第１底部から立設する第１壁部を有する第１ケースと、金属板が折り曲げられて形成され、前記第１底部の平面方向に沿って前記第１ケースに取り付けられる第２ケースと、を備え、前記第２ケースは、前記第１ケースに取り付けられた際に前記第１底部と略面一となる第２底部と、前記第１ケースに取り付けられた際に前記第１壁部と略面一となる第２壁部と、当該第２壁部から前記第２底部の平面視内方に折り曲げられて前記第２底部に向かって延びる第３壁部と、を有し、前記第３壁部は、前記平面方向における前記第１ケース側の端部から前記第１ケースの側に突出する突出部を有し、前記突出部は、前記第１ケースと前記第２ケースとが取り付けられた際に、前記第１壁部における前記第１底部の平面方向内方の面に当接する電子機器に関する。
【０００９】
また、前記第３壁部における前記突出部が設けられる領域が前記第２壁部に対して折り返される角度は、１８０度未満であることが好ましい。
【００１０】
また、前記突出部は、基準電位部と電気的に接続された導通部と当接することが好ましい。
【００１１】
また、前記第１ケース及び前記第２ケースに積層配置され、前記第２ケースと嵌合可能な第３ケースを更に備え、前記第２ケースと前記第３ケースとを嵌合させた状態において、前記第３ケースは、前記突出部に、前記第１壁部における前記第１底部の平面方向内方の面とは反対側から当接することが好ましい。
【００１２】
また、前記第２ケースの厚み方向に沿う前記突出部の幅は、前記第２ケースの厚み方向に沿う前記第３壁部の幅よりも小さく、前記第１ケースと前記第２ケースとが取り付けられた際に前記第１壁部と前記突出部との間に形成される隙間に、前記第３ケースの一部が配置されることが好ましい。
【００１３】
本発明は、第１底部及び当該第１底部から立設する第１壁部を有する第１ケースと、金属板が折り曲げられて形成され、前記第１底部の平面方向に沿って前記第１ケースに取り付けられる第２ケースと、を備え、前記第２ケースは、前記第１ケースに取り付けられた際に前記第１底部と略面一となる第２底部と、前記第１ケースに取り付けられた際に前記第１壁部と略面一となる第２壁部と、当該第２壁部から前記第２底部の平面視内方に折り曲げられて前記第２底部に向かって延びる第３壁部と、を有し、前記第３壁部は、前記平面方向における前記第１ケース側の端部から前記第１ケースの側に突出する突出部を有し、前記突出部は、前記第１ケースと前記第２ケースとが取り付けられた際に、前記第１壁部により、前記第１底部の平面視外方への移動が規制される電子機器に関する。
【発明の効果】
【００１４】
本発明の電子機器によれば、第１ケースに取り付けられ且つ金属板が折り曲げられて形成される第２ケースを有する電子機器において、第２ケースにおける露出する端部に外観上の差異が生じることを低減し、デザイン性を向上できる電子機器を提供することができる。
【図面の簡単な説明】
【００１５】
【図１】本発明の一実施形態の携帯電話機１を開状態で示す斜視図である。
【図２】本発明の一実施形態の携帯電話機１を閉状態で示す斜視図である。
【図３】表示部側筐体３を背面側且つ連結部側から視た状態における表示部側筐体３の分解斜視図である。
【図４】表示部側筐体３を背面側から視た正面図である。
【図５】第１リアケース１００と第２リアケース２００との取り付け構造を示す分解斜視図である。
【図６】第２リアケース２００における突出部２８０の周辺を示す部分拡大斜視図である。
【図７】第２リアケース２００における突出部２８０の周辺を示す部分拡大底面図である。
【図８】第２リアケース２００における突出部２８０の周辺を示す部分拡大正面図である。
【図９】第１リアケース１００と第２リアケース２００との取り付け構造を表示部側筐体の内側から示す部分拡大斜視図である。
【図１０】図９に示す図を別の角度から視た図である。
【図１１】フロントケース３００と第２リアケース２００との取り付け構造を表示部側筐体の外側から示す部分拡大斜視図であって、第１リアケースを仮想的に省略した図である。
【図１２】図４に示すＡ−Ａ線断面図である。
【図１３】図４に示すＢ−Ｂ線断面図である。
【図１４】図４に示すＣ−Ｃ線断面図である。
【図１５】本発明の一実施形態の携帯電話機１の効果を説明するための図（図８対応図）であって、比較形態の形状を示す図である。
【図１６】従来技術に係る第１ケース１００と第２ケース２００との取り付け構造を示す分解斜視図である。
【発明を実施するための形態】
【００１６】
以下、本発明の実施形態について、図面を参照しながら説明する。まず、本発明の電子機器の一実施形態である携帯電話機１の基本構造について、図１及び図２を参照しながら説明する。図１は、本発明の一実施形態の携帯電話機１を開状態で示す斜視図である。図２は、本発明の一実施形態の携帯電話機１を閉状態で示す斜視図である。図３は、表示部側筐体３を背面側且つ連結部側から視た状態における表示部側筐体３の分解斜視図である。図４は、表示部側筐体３を背面側から視た正面図である。
【００１７】
図１及び図２に示すように、本実施形態の携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。
【００１８】
操作部側筐体２の上端部と表示部側筐体３の下端部とは、連結部４を介して開閉可能（折り畳み可能）に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図２参照）に変形される。
【００１９】
まず、操作部側筐体２について説明する。図１に示すように、操作部側筐体２は、外郭を形成するフロントケース２１及びリアケース２２を備える。フロントケース２１は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００２０】
フロントケース２１は、操作部としての操作キー群１１が前面２ａに露出するように構成される。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００２１】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーがユーザにより押圧されることで、各キーに割り当てられている機能に応じた動作が実行される。
【００２２】
操作部側筐体２の前面２ａには、携帯電話機１のユーザが通話時に発した音声が入力される音声入力部１２が配置される。音声入力部１２は、操作部側筐体２の長手方向における連結部４とは反対側の端部（下端部）の近傍に配置される。
【００２３】
操作部側筐体２の側面には、例えば、外部機器（例えば、ホスト装置）とデータの送受信を行うためのインターフェースや、ヘッドホン／マイク端子、着脱可能な外部メモリのインターフェースや、バッテリを充電するための充電端子等が設けられる（いずれも図示せず）。
【００２４】
次に、表示部側筐体３について説明する。図１から図４に示すように、表示部側筐体３は、外郭を形成する第３ケースとしてのフロントケース３００と、表示部カバー部材３３と、第１ケースとしての第１リアケース１００と、第２ケースとしての第２リアケース２００と、を備える。表示部側筐体３の前面３ａは、主として、フロントケース３００及び表示部カバー部材３３により構成される。また、図２に示すように、表示部側筐体３の背面３ｂは、主として、第１リアケース１００及び第２リアケース２００により構成される。
尚、表示部側筐体３の前面３ａは、携帯電話機１が折り畳まれた状態で操作部側筐体２と向かい合う面である。また、表示部側筐体３の背面３ｂは、表示部側筐体３の前面３ａと反対側に位置する面である。
【００２５】
本実施形態の各構成部材の説明においては、携帯電話機１を図２に示す折り畳まれた状態とした場合に、連結部４と筐体２，３の先端部とを結ぶ方向を「長手方向Ｄ１」といい、長手方向Ｄ１及び厚み方向Ｄ３と直交する方向を「幅方向Ｄ２」という。
また、長手方向Ｄ１のうち、連結部４からその反対側に向かう方向を「基端方向Ｄ１１」といい、基端方向Ｄ１１の反対方向を「先端方向Ｄ１２」という。厚み方向Ｄ３のうち、操作部側筐体２から表示部側筐体３に向かう方向を「手前方向Ｄ３１」といい、手前方向Ｄ３１の反対方向を「奥方向Ｄ３２」という。幅方向Ｄ２のうち、携帯電話機１を奥方向Ｄ３２に視た場合における左方向及び右方向をそれぞれ「左方向Ｄ２１」及び「右方向Ｄ２２」という。
【００２６】
図１に示すように、表示部側筐体３の前面３ａには、通話の相手側における音声を出力する音声出力部３１１が配置される。音声出力部３１１は、表示部側筐体３の長手方向Ｄ１における連結部４とは反対の端部（先端部）側に配置される。
表示部側筐体３の前面３ａからは、表示部カバー部材３３を透過して、後述する表示モジュール３４の表示部３４ａが視認可能となっている。
【００２７】
図３に示すように、表示部側筐体３においては、第２リアケース２００と、第１リアケース１００と、電子部品が実装された回路基板５０と、フロントケース３００と、表示モジュール３４と、表示部カバー部材３３とが、この順で積層的に配置される。
【００２８】
次に、表示部側筐体３における各ケースの取り付け構造に関して、更に詳細に説明する。図５は、第１リアケース１００と第２リアケース２００との取り付け構造を示す分解斜視図である。図６は、第２リアケース２００における突出部２８０の周辺を示す部分拡大斜視図である。図７は、第２リアケース２００における突出部２８０の周辺を示す部分拡大底面図である。図８は、第２リアケース２００における突出部２８０の周辺を示す部分拡大正面図である。
【００２９】
図９は、第１リアケース１００と第２リアケース２００との取り付け構造を表示部側筐体の内側から示す部分拡大斜視図である。図１０は、図９に示す図を別の角度から視た図である。図１１は、フロントケース３００と第２リアケース２００との取り付け構造を表示部側筐体の外側から示す部分拡大斜視図であって、第１リアケースを仮想的に省略した図である。図１２は、図４に示すＡ−Ａ線断面図である。図１３は、図４に示すＢ−Ｂ線断面図である。図１４は、図４に示すＣ−Ｃ線断面図である。
【００３０】
まず、第１リアケース１００と第２リアケース２００との取り付け構造について説明する。
図４から図１０に示すように、第２リアケース２００は、表示部側筐体３の背面３ｂの大部分を形成する。第１リアケース１００は、表示部側筐体３の背面３ｂのうち先端方向Ｄ１２側の端部近傍の領域と、連結部４における手前方向Ｄ３１側の領域とを形成する。第２リアケース２００は、取り付け方向Ｄ１２に移動することで、第１リアケース１００に取り付けられる。取り付け方向Ｄ１２は、第１リアケース１００の第１底部１１０の平面方向（Ｄ１−Ｄ２平面方向）に沿う方向であり、先端方向Ｄ１２である。第１リアケース１００と第２リアケース２００とが取り付けられると、表示部側筐体３の背面３ｂの全面が形成される。
【００３１】
図４から図１０に示すように、第１リアケース１００は、合成樹脂の成形を主体として形成され、第１底部１１０と、第４底部１２０と、第１底部１１０から立設する第１壁部１５０と、を備える。
第１底部１１０は、第１リアケース１００と第２リアケース２００とが取り付けられた状態（以下「第２取り付け状態」ともいう）において手前方向Ｄ３１に露出する部位であり、表示部側筐体３の背面３ｂの一部を形成する。
【００３２】
第４底部１２０は、第１底部１１０と一体的に形成されており、第１底部１１０の基端方向Ｄ１１側に延びている。第４底部１２０は、第１底部１１０の外面（手前方向Ｄ３１側の面）よりも奥方向Ｄ３２に段差を有して凹んでいる。第２取り付け状態において、第４底部１２０は、第２リアケース２００によって被覆される。
第１壁部１５０は、第１底部１１０から奥方向Ｄ３２に立設する。第１壁部１５０は、第１底部１１０における先端方向Ｄ１２側、左方向Ｄ２１側、及び右方向Ｄ２２側に形成される。
【００３３】
図４から図１０に示すように、第２リアケース２００は、金属板が折り曲げられて形成されている。この第２リアケース２００は、第２底部２１０と、第２壁部２５０，２５０と、第３壁部２７０，２７０と、を備える。
第２底部２１０は、略矩形形状を有している。第２取り付け状態において、第２底部２１０の外面（手前方向Ｄ３１側の面）は、第１底部１１０の外面（手前方向Ｄ３１側の面）と略面一となる、
【００３４】
第２壁部２５０は、幅方向Ｄ２に一対設けられ、第２底部２１０における長手方向Ｄ１に沿う一対の側縁から、奥方向Ｄ３２に延びて形成されている。第２取り付け状態において、第２壁部２５０の外面（左方向Ｄ２１又は右方向Ｄ２２側の面）は、第１壁部１５０の外面（左方向Ｄ２１又は右方向Ｄ２２側の面）と略面一となる。
【００３５】
第３壁部２７０は、第２壁部２５０と一体的に形成される。第３壁部２７０は、第２壁部２５０から第２底部２１０の平面視内方に折り曲げられて（折り返されて）形成される。第３壁部２７０は、第２底部２１０に向かって（つまりほぼ手前方向Ｄ３１に向かって）、延びている。第３壁部２７０を第２壁部２５０に対して折り返すことで、第２壁部２５０及び第３壁部２７０の全体として、強度（特に剛性）を向上できる。
【００３６】
第３壁部２７０は、突出部２８０を有する。突出部２８０は、第３壁部２７０における取り付け方向Ｄ１２の側の端部２７１から、第１リアケース１００の側に突出する。
突出部２８０における幅方向Ｄ２の外方の面は、第２取り付け状態において、第１リアケース１００の第１壁部１５０における第１底部１１０の平面方向（Ｄ１−Ｄ２平面方向）の内方の面１５１に、当接する。
【００３７】
第３壁部２７０は、第２壁部２５０に対して折り返されている。詳細には、第３壁部２７０における大部分（突出部２８０から離れた領域）は、第２壁部２５０に対して略１８０度折り返されている。一方、第３壁部２７０における突出部２８０が設けられる領域（突出部２８０の近傍の領域）２７２は、第２壁部２５０に対して、１８０度未満の角度θ１（図７参照）を有して折り返されている。つまり、この領域２７２は、第２壁部２５０に対して、鋭角の角度を形成している。１８０度未満の角度θ１は、例えば、０から９０度であり、好ましくは、２０から３０度である。
【００３８】
図７に示すように、第２リアケース２００の厚み方向Ｄ３に沿う突出部２８０の幅Ｗ２は、第２リアケース２００の厚み方向Ｄ３に沿う第３壁部２７０の幅Ｗ１よりも小さい。幅Ｗ１と幅Ｗ２との差は、例えば０．４から０．５ｍｍである。
この幅Ｗ１，Ｗ２の大小関係により、第１リアケース１００と第２リアケース２００とが取り付けられた際に、図１４に示すように、第１壁部１５０と突出部２８０との間には、隙間１８０が形成される。この隙間１８０に、フロントケース３００における導通部３４０（詳細は後述）が配置される。
【００３９】
図３及び図１２から図１４に示すように、フロントケース３００は、板金部材３２０と、この板金部材３２０の一部を覆う樹脂部３３０と、を備える。板金部材３２０は、金属板をプレス加工により成形して形成される。板金部材３２０は、例えば回路基板５０のグランドパターンと電気的に接続されることで、基準電位部としても機能する。このフロントケース３００は、板金部材３２０と樹脂部３３０とが、インサート成形により一体的に成形されて構成される。
フロントケース３００における平面方向（Ｄ１−Ｄ２平面方向）の中央部分（周縁以外の大部分）は、主として、露出した板金部材３２０から形成される。フロントケース３００における周縁部分は、主として、板金部材３２０が樹脂部３３０により覆われて形成される。
【００４０】
フロントケース３００は、第１リアケース１００及び第２リアケース２００に積層配置される。フロントケース３００は、第２リアケース２００と嵌合可能である。第２リアケース２００とフロントケース３００とを嵌合させることにより、第２リアケース２００が取り付けられた第１リアケース１００が、フロントケース３００に取り付けられた状態（以下「第３取り付け状態」ともいう）となる。
【００４１】
フロントケース３００は、基準電位部としての板金部材３２０に電気的に接続された導通部３４０を有する。なお、導通部３４０は、基準電位部として機能する回路基板５０やシールドケース（不図示）に、電気的に接続されていてもよい。
第３取り付け状態において、第２リアケース２００の突出部２８０は、図１４に示すように、基準電位部と電気的に接続された導通部３４０と当接する。
【００４２】
また、図１４に示すように、第３取り付け状態において、フロントケース３００は、第２リアケース２００の突出部２８０に、第１壁部１５０の内方の面１５１とは反対側から当接する。詳述すると、第３取り付け状態において、フロントケース３００における樹脂部３３０の幅方向Ｄ２の外方の面は、突出部２８０における幅方向Ｄ２の内方の面に当接する。
【００４３】
表示モジュール３４は、各種情報を表示する。この表示モジュール３４は、厚さの薄い略長方体形状を有しており、一方の面に表示部３４ａを有する。表示モジュール３４は、液晶パネルと、液晶パネルを駆動する駆動回路と、液晶パネルの背面側から光を照射するバックライトと、を有する（いずれも図示せず）。
【００４４】
表示部カバー部材３３は、フロントケース３００における第１リアケース１００が配置される側と反対側に配される。この表示部カバー部材３３は、表示モジュール３４を覆う。表示部カバー部材３３は、アクリルやガラス等の透明の板状部材の表面における周縁領域に、印刷等を施して構成されている。表示部カバー部材３３は、接着剤や両面テープ等により、フロントケース３００に固定される。
【００４５】
以上説明した本実施形態の携帯電話機１によれば、例えば、以下のような効果を奏する。
本実施形態の携帯電話機１においては、第２リアケース２００は、第１リアケース１００に取り付けられた際に第１底部１１０と略面一となる第２底部２１０と、第１リアケース１００に取り付けられた際に第１壁部１５０と略面一となる第２壁部２５０と、第２壁部２５０から第２底部２１０の平面視内方に折り曲げられて第２底部２１０に向かって延びる第３壁部２７０と、を有する。第３壁部２７０は、平面方向Ｄ１−Ｄ２における第１リアケース１００の側の端部２７１から第１リアケース１００の側に突出する突出部２８０を有する。突出部２８０は、第２リアケース２００が第１リアケース１００に取り付けられた際に、第１壁部１５０における第１底部１１０の平面方向Ｄ１−Ｄ２の内方の面１５１に当接する。
【００４６】
そのため、本実施形態の携帯電話機１によれば、第２リアケース２００の平面方向Ｄ１−Ｄ２における第１リアケース１００の側の端部であって、第３取り付け状態において露出する部分には、第２リアケース２００における折り曲げた部分は、存在しない。そのため、外観上の差異が生じることを低減し、デザイン性を向上できる。
【００４７】
本実施形態の携帯電話機１においては、第２リアケース２００の第３壁部２７０における突出部２８０が設けられる領域２７２が第２壁部２５０に対して折り返される角度θ１は、１８０度未満である。
例えば、図１５に示すように、第３壁部２７０が第２壁部２５０に対して略１８０度折り返されている形態の場合には、第１リアケース１００における突出部２８０と当接する部分の肉厚Ｗ１２は、薄くなってしまう。これに対して、本実施形態の携帯電話機１によれば、第１リアケース１００における突出部２８０と当接する部分の肉厚Ｗ１１を大きくすることができ、第１リアケース１００における強度を向上できる。
【００４８】
本実施形態の携帯電話機１においては、突出部２８０は、基準電位部と電気的に接続された導通部３４０と当接する。また、突出部２８０には、バネ弾性が発現しやすい。そのため、第２リアケース２００における静電気などのノイズ対策を図ることができ、静電性能の向上を図ることができる。
【００４９】
本実施形態の携帯電話機１は、第１リアケース１００及び第２リアケース２００に積層配置され、第２リアケース２００と嵌合可能なフロントケース３００を更に備える。第２リアケース２００とフロントケース３００とを嵌合させた状態において、フロントケース３００は、第２リアケース２００の突出部２８０に、第１リアケース１００の第１壁部１５０の内方の面１５１とは反対側から当接する。そのため、第２リアケース２００の突出部２８０を挟んで、フロントケース３００が第１リアケース１００を当て付ける構成を実現することができる。その結果、第１リアケース１００と第２リアケース２００とフロントケース３００とは、好適に固定される。
【００５０】
本実施形態の携帯電話機１においては、第２リアケース２００の厚み方向Ｄ３に沿う突出部２８０の幅Ｗ２は、第２リアケース２００の厚み方向Ｄ３に沿う第３壁部２７０の幅Ｗ１よりも小さい。そして、第１リアケース１００と第２リアケース２００とが取り付けられた際に、第１壁部１５０と突出部２８０との間に形成される隙間１８０に、フロントケース３００の導通部３４０が配置される。そのため、第２リアケース２００が取り付けられた第１リアケース１００と、フロントケース３００との取り付けを一層スムーズに行うことができる。その結果、第１リアケース１００と第２リアケース２００とフロントケース３００とは、更に好適に固定される。
【００５１】
以上、本発明の一実施形態について説明したが、本発明は、前述した実施形態に制限されるものではなく、適宜変更が可能である。
例えば、前記実施形態においては、第１リアケース１００と第２リアケース２００とが取り付けられた際に（第２取り付け状態において）、突出部２８０は、第１リアケース１００の第１壁部１５０における第１底部１１０の平面方向（Ｄ１−Ｄ２平面方向）の内方の面１５１に当接しているが、これに制限されない。第２取り付け状態において、突出部２８０が、第１リアケース１００の第１壁部１５０により、第１底部１１０の平面視外方への移動が規制される構成であっても、前記実施形態と同様の効果が奏される。「規制する」には、移動することが可能だが、移動範囲に制限があることも含む。
【００５２】
前記実施形態においては、第１壁部１５０と突出部２８０との間に形成される隙間１８０に、フロントケース３００の導通部３４０が配置されているが、これに制限されない。隙間１８０に、第３ケースとしてのフロントケース３００における他の部位（一部）が配置されてもよい。
【００５３】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、本発明の電子機器は、操作部側筐体２と表示部側筐体３との重ね合せ方向に沿う軸線を中心に一方の筐体を回転させるようにした回転式（ターンタイプ）の携帯無線装置であってもよい。
【００５４】
本発明は、携帯電話機以外の電子機器に適用することができる。携帯電話機以外の電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコンが挙げられる。
【符号の説明】
【００５５】
１  携帯電話機（電子機器）
２  操作部側筐体
３  表示部側筐体
１００  第１リアケース（第１ケース）
１１０  第１底部
１５０  第１壁部
１５１  面
１８０  隙間
２００  第２リアケース（第２ケース）
２１０  第２底部
２５０  第２壁部
２７０  第３壁部
２７１  端部
２７２  領域
２８０  突出部
３００  フロントケース（第３ケース）
３４０  導通部
Ｄ１−Ｄ２  平面方向
Ｄ３  厚み方向
Ｗ１，Ｗ２  幅
θ１  角度
【図１】
2012227567.tif 000003
【図２】
2012227567.tif 000004
【図３】
2012227567.tif 000005
【図４】
2012227567.tif 000006
【図５】
2012227567.tif 000007
【図６】
2012227567.tif 000008
【図７】
2012227567.tif 000009
【図８】
2012227567.tif 000010
【図９】
2012227567.tif 000011
【図１０】
2012227567.tif 000012
【図１１】
2012227567.tif 000013
【図１２】
2012227567.tif 000014
【図１３】
2012227567.tif 000015
【図１４】
2012227567.tif 000016
【図１５】
2012227567.tif 000017
【図１６】
2012227567.tif 000018